(57)【特許請求の範囲】
【請求項１】
飲み口部分除いて長手方向の全長或いは一部が水平方向の蛇腹状となっている容器本体にあって、上記飲み口部分直下の蛇腹状部を形成する襞の形状は、その径が他方の径より小さく下方向に行くに従い各段の襞の径を順次拡大させ、容器本体の径と同等になすようにし、上記蛇腹状部を形成する各襞は、略巾広のそろばん形球状であって、上面の形状はその内面を含めて外方向に突出しており、下面の形状はその内面を含めて直線状となっておりかつ、上記襞をそろばん形球状とすることで、断面が上下に２分された形状となり、その上半分は下半分より高さを高いものとしたことを特徴とする長さ方向が縮少された状態を保つことが可能な容器。
【発明の詳細な説明】
【０００１】
【発明の属する技術の分野】
本発明はブロー成型方法などで造形されたジュースやミネラルウォータの容器であって、特に飲み干された時その長さ方向が縮少（容積が縮少）できるようにした容器に関する。
【０００２】
【従来の技術】
合成樹脂製ボトルの売り上げは、近年膨大なものになっている。しかし、容器本体内のジュースやミネラルウォータを飲み干して、該容器本体を破棄する時は飲み干す以前の形状の侭であり、これを所謂ゴミ箱に破棄する場合は、まるで空気をゴミ箱に捨てたような状態ですぐ満杯となり、あげくは路上に放棄され生活環境を悪化させる最大の欠点があり、加えてそれは飲み干された容器本体の回収費や、清掃の為の人件費は公共事業の大きな負担となっているのである。
【０００３】
またこの種合成樹脂ボトルは、それをブロー成型など手軽な手段で製造できる反面、激しい振動を伴う自動車などの搬送手段や、積み重ねられる店頭での展示に見合った強度が、未だ充分とは言えないものがあった。
【０００４】
さらにこの事は、容器を製造する業者からジュースやミネラルウォータを封入する会社に搬送する際も、当該容器本体が嵩ばってまるで空気を搬送しているような状態で、製品の搬送費にかかる割合は相当なものとなっていたのである。
【０００５】
【発明が解決しようとする課題】
そこで本願の発明者は先に、容器本体内のジュースやミネラルウォータを飲み干して、該容器本体を破棄する時、その容積を頗る小さくすることが出来るようになしかつ、従来空の容器本体をゴミ箱に収容しきれなったのに比し、その収容個数を頗る増大させた容器を提供し多大な好評を博した。
【０００６】
本発明は更にこれを改良したもので、その目的は内容物が飲み干された空の容器を、手で軽く押し潰すことができるように工夫したものであり、その押し潰し量即ち高さを頗る少くしたものであり乍ら、再び閉栓などすることなく潰された状態を保たせるようになしたことである。
【０００７】
この結果、空の容器をゴミ箱に捨てるのに従来に比し多量に捨てることができ、かつそのリサイクルとして利用する為などの搬送も同時に多量に成し得るから、その回収費や清掃回収の為の人件費を頗る軽減させ得るようになったのである。
【０００８】
また、容器を製造する業者からジュースやミネラルウォータを封入する会社に搬送する際も、一度の搬送量を従来の量との比較において、著しく増大させたことである。
【０００９】
さらに本発明の目的は上記のように、飲干された容器を破棄する時、あるいは搬送する時、その容積を頗る小さくすることが出来るようにしたことであるが、その状態は容器本体に復元力を与えることなく、長時間あるいは長期間若しくは再利用の為の粉砕や溶解などの作業時まで、その縮少された形状を保つようにしたことである。
【００１０】
【課題を解決するための手段】
而して本発明の特徴は、飲み口部分除いて長手方向の全長或いは一部が水平方向の蛇腹状となっている容器本体にあって、上記飲み口部分直下の蛇腹状部を形成する襞の形状は、その径が他方の径より小さく下方向に行くに従い各段の襞の径を順次拡大させ、容器本体の径と同等になすようにし、上記蛇腹状部を形成する各襞は、略巾広のそろばん形球状であって、上面の形状はその内面を含めて外方向に突出しており、下面の形状はその内面を含めて直線状となっておりかつ、上記襞をそろばん形球状とすることで、断面が上下に２分された形状となり、その上半分は下半分より高さを高いものとしたことである。
【００１１】
而して今、かかる容器本体内のミネラルウォータなどを飲干したとする。そして飲み口部分を押し下げると、上記飲み口部分直下の蛇腹状部の形状襞の径が下方に向うに従い大径としたから、その結果押し潰された各襞はその外周辺が内周辺に対して上方となる傾斜状に重ね合せられるのである。
【００１２】
また上記襞をそろばん形球状とすることで、断面上下に２分された形状となり、その上半分は下半分より高さを高いものとしたことの上下の関係で、隣に位置する襞の谷端面を圧縮することになるのである。
【００１３】
そしてこの時、かかる襞の谷部が同襞の山部（径）の頂点側に押し寄せられたことに相当しこの際、襞の上面は下面に対して緩傾斜側の圧縮分力は傾斜が少ない為に下面の急傾斜側の圧力分力より大きいことから、急傾斜側の谷が山部の頂点側に移動したことになるのである。
【００１４】
さらに重要なことはこの時、容器本体には２つの大きな変化が生じている。即ちその第１は、上記襞を構成する山部（径）の内径が拡大圧力で増加あるいは谷部の内径が圧縮圧力で減少すること、その第２は襞を構成する下面の直線状急傾斜面が屈曲することである。
【００１５】
続いてこの急傾斜側が山部直下を通過して、さらに襞の上面の突出する緩傾斜側の内側に潜り込んで、容器本体の高さを短縮状態まで移動させ、山部の内径及び谷の内径を復元させようとする力が働き、またこの時襞の下面が上記の操作で屈曲状態となっていたものを伸展状態に復元しようとして安定した状態となるので、常に圧縮力を加えておかなくとも、本発明の容器本体はこの短縮状態を保つようになることができたのである。
【００１６】
従ってかかる短縮された容器本体に、キャップを再び被冠させなくとも潰された状態を保つことができるようになったのであり、その高さ（容積）は通常のものに比べその容積を１／３乃至１／４以下とすることができ、これをゴミ箱などに放棄してもそのスペースを格段に少なくすることができたのである。
【００１７】
【発明の実施の形態】
以下、図面に基づいて本発明の実施形態を説明する。
図１で（１）は容器本体で、その高さ（長さ）方向の外周と内周は蛇腹状（２）となっている。
【００１８】
【実施例１】
図３と図４では上記容器本体（１）内にミネラルウォータを封入した状態で、これを飲み干して高さ（長さ）方向にその一方からあるいは両方から押し潰した状態を示した。即ち本発明はこのような容器本体（１）を押し潰した状態とするため及び潰れた状態を保つため秀れた構成を有し、秀れた作用を発揮するのである。
【００１９】
その一例として図において（３）は容器本体（１）の飲み口で、その直下方は割球状（４）となっており第１段の蛇腹状（５）（即ち上記蛇腹状（２）の最上段）の外径（ｄ１）は、容器本体（１）の外径（ｄ）より小さい径とする。続いて第１段の蛇腹状（５）に対し第２段の蛇腹状（６）の外径（ｄ２）は、上記第１段の蛇腹状（５）の外径（ｄ１）より大きく容器本体（１）の外径（ｄ）より小さい。
【００２０】
さらにこれと連なりかつ上記第２段の蛇腹状（６）の外径（ｄ２）より大きく容器本体（１）の外径より小さい第３段の蛇腹状（７）の外径（ｄ３）となるように側面からみて階段状となっているが、勿論これは上記のように３段（５）（６）（７）とすることに限らず適宜の複数段でもよいが図１の実施例では４段とした。
【００２１】
具体的に図１の容器は高さ１９５ｍｍ×最大直径７１．５ｍｍ容量５００ｍｌの容器本体（１）にあって、１２段の襞を有する形状とした。
【００２２】
但しこの場合第１段の蛇腹状（５）の外径（ｄ１）は６０．５ｍｍ，第２段の蛇腹状（６）の外径（ｄ２）は６７．９ｍｍであり、これら第１段の蛇腹状（５）と第２段の蛇腹状（６）の間の内径は、４７ｍｍとした。
【００２３】
これと同様、第３段の蛇腹状（７）の外径（ｄ３）は６９．７ｍｍであり、第２段の蛇腹状（６）と第３段の蛇腹状（７）の間の内径は５１．１ｍｍとした。また図において（８）は第４段の蛇腹状であるが、該第４段の蛇腹状（８）の外径（ｄ）は上記容器本体（１）の最大外径である直径７１．５ｍｍであり、第３段の蛇腹状（７）と第４段の蛇腹状（８）の間の内径は５４．５ｍｍとした。また以下の第５段の蛇腹状乃至第１２段の蛇腹状の襞の外径（ｄ）は第４段の蛇腹状（８）の外径と略同一であり、それぞれの間の内径もまた第４段の蛇腹状（８）と略同一である。
【００２４】
この場合上記各径は、巾広のそろばん球のような形状をしており、従って水平方向の上下に２分される。この時図１で上記第１段の襞の上（ｈ１）下（ｈ２）の高さは６．５ｍｍ：５．５ｍｍ，第２段の襞のそれは７ｍｍ：５ｍｍ，第３段の襞のそれは８．５ｍｍ：６．５ｍｍとなした。
【００２５】
より具体的にこれら襞の断面形状を図５で示した。これは、上記第４段の蛇腹状（８）乃至１２段の蛇腹状の襞の寸法，（ｈｘ）と（ｈｙ）の例であるがその形状は各段共通なものとなっている。
【００２６】
即ち図において（２０）は巾広のそろばん球形状の内面も含む上面であり、（２１）は巾広のそろばん球形状の内面も含む下面であるが、上面（２０）の形状は外方向に突出したこの実施例では２０ｍｍＲの湾状（９）となっており、これに対して下面（２１）の形状は０．８ｍｍＲの突出弧状（１０）を介して直線状（１１）となっていることが重要なポイントである。
【００２７】
本実施例のこの構成をその作用と併せて説明すると、概略上記図１の状態の容器本体（１）は、中央部（１２）及び下部（１３）を含む胴部（１４）と上方の肩部（１５）に２分され、それぞれの部位（１４）（１５）は、それぞれの比較に於て、その径が大径と小径の２つの径からなっていることから、安定した垂直状態を保っている。
【００２８】
即ち上記中央部（１２）と下部（１３）を含む胴部（１４）は内外径が同一の襞で形成され、肩部（１５）は外観的に飲み口（３）方向が緩傾斜の凸状に湾曲され、特にこの肩部（１５）は中央部（１２）から飲み口（３）までの間で、襞を形成する谷部（１８）の内径を徐々に減少させると共に、その傾斜角度も胴部（１４）より差を大きくしたから、この中央部（１２）が伸長している状態にあっては襞を形成する山（１７），谷（１８）の内径及び傾斜面は材料の持つ強度と弾性で伸長・伸展状態を保つことができるのである。なお底面（１６）を急傾斜の凹状とすることで所謂すわりがよくなること当然である。
【００２９】
さて、市販に供される容器本体（１）にはキャップ（１９）が被冠されている。
そこでこのキャップ（１９）を取外し、内容物を飲み干し飲み口（３）を押し下げると、図３のように肩部（１５）や胴部（１４）が圧縮されて縮んだ状態となる。この状態で図７に示すように肩部（１５）の襞が押圧され、谷（１８）の端面が上下の関係で隣に位置する襞の谷端面を圧縮することになる。この時点で襞の山（１７）の頂点からみた状態では、図７，８のように両側の谷（１８）部がこの山（１７）の頂点側に押し寄せられたことに相当しこの際、襞の上面（２０）は下面（２１）に対して緩傾斜側の圧縮分力は傾斜が少ない為に下面（２１）の急傾斜側の圧力分力より大きいことから急傾斜側の谷（１８）が山（１７）部の頂点側に移動したことになる。
【００３０】
この時容器本体（１）には２つの大きな変化が生じている。即ちその第１は、上記襞を構成する山（１７）部の内径が拡大圧力で増加あるいは谷（１８）部の内径が圧縮圧力で減少すること、その第２は襞を構成する下面（２１）の急傾斜面が屈曲することである。
【００３１】
続いてこの急傾斜側が山（１７）部直下を通過して、さらに図７，８でみられるように上面（２０）の緩傾斜側の内側に潜り込んで、容器本体（１）の高さを短縮状態まで移動させると、山（１７）の内径及び谷（１８）の内径が復元する力が働き、または下面（２１）が上記の操作で屈曲状態となっていたものを伸展状態に復元して安定した状態となる。従って常に圧縮力を加えておかなくとも、この短縮状態を保つようになることができたのである。
【００３２】
この実施例は前記のように容器本体（１）の肩部（１５）の襞の径が下方に向うに従い大径としたから、その結果押し潰された各襞はその外周辺が内周辺に対して上方となる傾斜状に重ね合せられる。
【００３３】
その後飲み口（３）の上面部及び、または肩部の割球状（４）を押圧すると、その押し下げる力は図９乃至図１１のように各襞の外周辺にも押し下げる力（ｆ４）が働き、その結果図４に示すように中央部（１２）及び下部（１３）を含む胴部（１４）の襞は、その外周辺が内周辺に対して下方となる上記肩部（１５）とは逆方向の傾斜状に重ね合せられる。
【００３４】
而してこの押し潰された容器本体（１）にあって肩部（１５）の襞の上方の傾斜部を形成する割球状（４）及び湾状（９）と、胴部（１４）の襞の下方の傾斜部が所謂「つりあって」容器本体（１）はキャップ（１９）を再び被冠させなくとも潰された状態を保つことができるようになったのである。
【００３５】
この結果容器本体（１）は度重なる実験では、その高さ（容積）が１／３乃至１／４以下となり、これをゴミ箱などに放棄してもそのスペースを格段に少なくすることができたのである。
【図面の簡単な説明】
【図１】一実施の容器本体全体の正面図
【図２】同底面図
【図３】潰した状態の一部切込断面図
【図４】潰した状態の容器全体の縦断面図
【図５】容器本体を構成する襞の拡大断面説明図
【図６】容器本体の潰した時に於ける肩部の変形状態を示し、押圧初期段階を示す
【図７】容器本体の潰した時に於ける肩部の変形状態を示し、押圧中間段階を示す
【図８】容器本体の潰した時に於ける肩部の変形状態を示し、押圧完了段階を示す
【図９】容器本体を潰した時に於ける中央部胴部の変形状態を示し、押圧初期段階を示す
【図10】容器本体を潰した時に於ける中央部胴部の変形状態を示し、押圧中間段階を示す
【図11】容器本体を潰した時に於ける中央部胴部の変形状態を示し、押圧完了段階を示す
【符号の説明】
１， 容器本体
２， 蛇腹状
３， 飲み口
４， 割球状
５， 第１段の蛇腹状
６， 第２段の蛇腹状
７， 第３段の蛇腹状
８， 第４段の蛇腹状
９， 湾状
１０， 突出弧状
１１， 直線状
１２， 中央部
１３， 下部
１４， 胴部
１５， 肩部
１６， 底面
１７， 山
１８， 谷
１９， キャップ
２０， 上面
２１， 下面
ｄ， 外径
ｄ１，第１段の蛇腹状（５）の外径
ｄ２，第２段の蛇腹状（６）の外径
ｄ３，第３段の蛇腹状（７）の外径
ｆ4， 押し下げる力
【図１】
0004106229.tif 000002
【図２】
0004106229.tif 000003
【図３】
0004106229.tif 000004
【図４】
0004106229.tif 000005
【図５】
0004106229.tif 000006
【図６】
0004106229.tif 000007
【図７】
0004106229.tif 000008
【図８】
0004106229.tif 000009
【図９】
0004106229.tif 000010
【図１０】
0004106229.tif 000011
【図１１】
0004106229.tif 000012